(57)【要約】【課題】  いろいろな表情をした複数のサンプル画像を表示して、表示された画像の中から、希望する表情をした画像を被写体となる人物に選択してもらい、音響手段、画像表示手段、照明手段、温度制御手段、送風制御手段香り制御手段を制御することにより、被写体となった人物が選択した表情をするように誘導して、この表情をタイムリーに撮影することにより、希望した表情の顔写真が得られるようにした人物撮影システムを提供すること。【解決手段】  撮影手段により、人物を被写体として撮影する人物撮影システムであって、画像表示手段が、予め用意された異なる表情をした複数の顔画像例を表示して、被写体となる人物が、希望する表情をした顔画像を前記複数の顔画像例の中から指示操作手段により選択できるように構成したことを特徴とする人物撮影システム。【選択図】        図２
2005156942.tif 000002
【特許請求の範囲】
【請求項１】
撮影手段により、人物を被写体として撮影する人物撮影システムであって、
画像表示手段が、予め用意された異なる表情をした複数の顔画像例を表示して、
被写体となる人物が、希望する表情をした顔画像を前記複数の顔画像例の中から指示操作手段により選択できるように構成したことを特徴とする人物撮影システム。
【請求項２】
前記複数の顔画像例の中に、真顔の顔画像、もしくは無表情な顔画像を含むことを特徴とする請求項１に記載の人物撮影システム。
【請求項３】
前記人物撮影システムの制御手段が、
音、音声、音楽を出力する音響手段、
ディスプレイ上に画像、文字、符号を出力する画像表示手段、
タッチセンサ、押しボタン、キーボード等からなる指示操作手段、
を制御して、
前記被写体となる人物が希望する表情をした顔画像を選択するように、案内をすることを特徴とする請求項１、もしくは２に記載の人物撮影システム。
【請求項４】
前記指示操作手段により選択された表情の顔画像に対応して、
前記制御手段が、少なくとも、
音、音声、音楽を出力する音響手段、
ディスプレイ上に画像、文字、符号を出力する画像表示手段、
被写体を照明する照明手段、
被写体の周辺温度を変化させるための温度制御手段、
被写体に所定方向から風を送り、且つ、風力を可変制御する送風制御手段、
被写体に香りを送る香り制御手段、
被写体となる人物が表示された画像の選択や、他の指示操作を行うための指示操作手段、
のいずれかの手段を制御することにより、
被写体となっている人物を、前記選択された顔画像の表情をするように導くことを特徴とする請求項３に記載の人物撮影システム。
【請求項５】
前記制御手段は、被写体となっている人物が、一定間隔で変化する音、もしくは画像、あるいは一定リズムで変化する音、もしくは画像に合わせて、表情を変化させるように前記音響手段、もしくは前記画像表示手段を制御することを特徴とする請求項４に記載の人物撮影システム。
【請求項６】
前記制御手段は、被写体となっている人物に対して、顔のマッサージ、もしくは、目の運動をすることを促し、その後に、前記選択された顔画像の表情をするように、前記音響手段、もしくは前記画像表示手段を制御することを特徴とする請求項４に記載の人物撮影システム。
【請求項７】
前記撮影手段は、設定されたタイミングと、設定された周期とで顔画像を取り込み、
前記制御手段は、取り込まれた複数枚の前記顔画像を撮影画像データとして記憶手段の指定領域にストアすることを特徴とする請求項４から６のいずれか１項に記載の人物撮影システム。
【請求項８】
前記撮影手段を、複数の角度から人物を撮影するように構成して、
前記制御手段は、設定されたタイミングで、前記撮影手段により複数の角度から撮影した顔画像を取り込み、
取り込んだ複数枚の前記顔画像を撮影画像データとして記憶手段の指定領域にストアすることを特徴とする請求項４から６のいずれか１項に記載の人物撮影システム。
【請求項９】
前記記憶手段の指定領域にストアされた前記撮影画像データを前記画像表示手段に表示して、
表示された複数枚の顔画像の中から、気に入った顔画像を、前記指示操作手段にて選択できるように構成したことを特徴とする請求項７、もしくは８に記載の人物撮影システム。
【請求項１０】
画像情報をプリントとして出力する出力手段、記憶媒体に出力する出力手段、通信路に出力する出力手段を設け、
前記制御手段が、前記指示操作手段にて選択された顔画像を、前記指示操作手段による出力指示に従って、いずれかの前記出力手段に出力することを特徴とする請求項９に記載の人物撮影システム。
【発明の詳細な説明】
【技術分野】
【０００１】
本発明は、人物の顔を主な被写体として撮影する人物撮影システムに関する。
【背景技術】
【０００２】
人物撮影を行うための撮影システムとしては、証明写真撮影システム、観光スポット、あるいは娯楽施設での記念写真撮影システム、結婚式場、あるいは写真館での記念写真撮影システムがよく知られている。また、最近では、友人と一緒に撮った顔写真シールプリントを得るための、もしくは友人との交換を目的とした顔写真シールプリントを作成するためのシールプリント作成システムも多く見られる。
【０００３】
証明写真撮影システムは、履歴書、学校や各種資格試験の受験申請書、あるいは、パスポートの交付を申請する際の交付申請書、等々に添付するための必要な写真を、短時間の中に自分で用意できる便利な施設として、多くの場所に設置され、利用されている。これらの証明写真撮影システムにより、自分の顔を自分で撮影することにより作成したプリントは、認証や照合のために用いられる証明写真としての必須要件、例えば、写真の大きさ、顔の位置、目つぶりがない等の要件を満たしているものの、自分の顔を自分の気に入った顔として表現した写真とは言い難い場合が多い。
【０００４】
観光スポット、あるいは娯楽施設での記念写真撮影システムにて撮られた顔画像は、その価値は、背景としてプリント上に現れている情景と共にあるものであり、その顔画像が、被写体の中心部に位置していたとしても、本人の気に入ったものであるか否かは、場合による。
【０００５】
結婚式場、あるいは写真館で撮影してもらう場合には、写真撮影を行う上での充分な設備の下で、経験豊かな撮影者が、被写体となっている人物の服装、姿勢を直し、タイミング良く複数枚の撮影を行う。このようにして得られた写真は、被写体となった人物にとって、満足すべき顔画像を有することが多いが、独特な緊張感を持った表情の写真になりやすく、被写体となっている人物は「はい、笑って」と撮影者から言われ表情を作っても、どのような表情であるかは、すぐには確認はできず、できあがりの写真を見るまでの不安が残り、例え、できあがりの写真に多少の不満があっても撮られた写真の中からの選択しかできない場合が多い。さらには、被撮影者が、これを得るために必要とする時間と費用の問題も大きい。
【０００６】
シールプリント作成システムにて得られた、顔画像と、画像を囲む縁取りと、場合によってはお気に入りのキャラクターとを有するプリントは、被写体となっている人物が、その撮影時機の一瞬の表情を楽しむだけの顔画像であることが多い。
【０００７】
このように、多くの人は自分の顔を写真に撮る、あるいは撮られる機会は多いが、自分の気に入った表情の顔画像を有する写真を得ることはなかなか難しい。
【０００８】
良い顔画像の写真を得るためには、撮影側の条件、および被写体側の条件の両方が満足されることが必要である。
【０００９】
即ち、撮影側で満たさなければならない条件としては、先ずは、撮影手段である撮影機材や撮影システム、および、使用する資材の高い機能性能と、これらを扱うに充分なレベルの撮影者の技術が挙げられるが、さらなる重要な条件として、被写体である人物に対し適切な表情、ポーズを導きだし、適切なチャンスにこれを撮影する撮影者のセンスと技術がある。
【００１０】
被写体側で満たさなければならない条件は、主に、表情とポーズである。
【００１１】
上述した撮影側で満たさなければならない条件の向上は、間断なく続けられている撮影機材や撮影システムと資材の改良と、教育や実地での撮影経験等を通しての撮影者の技術向上とによるところが多い。ところが、撮影者が存在しないシステムにおいては、撮影者の技術に頼ることはできないことから、顔写真の出来映えは、撮影機材や撮影システム、および、使用する資材の改良と工夫とに頼らざるを得ない。
【００１２】
工夫の例としては、証明写真写真撮影システムにおいて、照明手段の配光パターンを変化させて、被写体となっている人物から最良の顔画像を得るための最適な照明条件を求めるというような提案もある（例えば、特許文献１参照。）。
【００１３】
撮影者が存在しなくても被写体側の条件を向上させることができるという提案としては、被写体である人物が、いろいろな表情をして、ポーズをとって、リモート式のシャッター操作手段を操作することにより、良い表情とポーズの自分自身を撮影するというような案もある（例えば、特許文献２参照。）。しかしながら、撮影されることを職業としている俳優やモデルは別として、一般の人が、作られる顔写真を想定して、自分の気に入るような表情とポーズを自分自身で作り出すことは、ほとんど不可能に近い。
【００１４】
従って、自分でも気に入る良い顔写真を得るためには、上述した条件を満足している例が多い結婚式場、写真館での撮影が望ましいことになる。しかしながら、既に述べたごとく、撮られる人物にとっては、気に入った表情ができるか否かの不安や、要する時間と費用の問題が大きい。
【特許文献１】特開平１１−３２７０１２号公報（第２−３頁）
【特許文献２】特開２０００−１４７６４１号公報（第５頁）
【発明の開示】
【発明が解決しようとする課題】
【００１５】
本発明は、上述のような状況に鑑みてなされたもので、その目的は、予め準備してある、いろいろな表情をした複数のサンプル画像を、画像表示手段を用いて表示することにより、被写体となる人物が希望する表情を容易に選択できるようにして、次に、選択された表情に対応して音響手段、画像表示手段照明手段、温度制御手段、送風制御手段香り制御手段を制御することにより、被写体となる人物が選択した表情をするように導き、この表情をタイムリーに撮影することにより、希望した表情の顔写真が得られるようにした人物撮影システムを提供することにある。また、このようにして撮られた複数の顔画像から、被写体となった人物が最も気に入った画像を選択して、その画像のプリント出力と、記憶媒体への出力をすることによって、得られた顔画像の活用ができるようにすることにある。
【課題を解決するための手段】
【００１６】
上述の課題は、以下の手段により達成される。
【００１７】
（１）撮影手段により、人物を被写体として撮影する人物撮影システムであって、
画像表示手段が、予め用意された異なる表情をした複数の顔画像例を表示して、
被写体となる人物が、希望する表情をした顔画像を前記複数の顔画像例の中から指示操作手段により選択できるように構成したことを特徴とする人物撮影システム。
【００１８】
（２）前記複数の顔画像例の中に、真顔の顔画像、もしくは無表情な顔画像を含むことを特徴とする（１）に記載の人物撮影システム。
【００１９】
（３）前記人物撮影システムの制御手段が、
音、音声、音楽を出力する音響手段、
ディスプレイ上に画像、文字、符号を出力する画像表示手段、
タッチセンサ、押しボタン、キーボード等からなる指示操作手段、
を制御して、
前記被写体となる人物が希望する表情をした顔画像を選択するように、案内をすることを特徴とする（１）、もしくは（２）に記載の人物撮影システム。
【００２０】
（４）前記指示操作手段により選択された表情の顔画像に対応して、
前記制御手段が、少なくとも、
音、音声、音楽を出力する音響手段、
ディスプレイ上に画像、文字、符号を出力する画像表示手段、
被写体を照明する照明手段、
被写体の周辺温度を変化させるための温度制御手段、
被写体に所定方向から風を送り、且つ、風力を可変制御する送風制御手段、
被写体に香りを送る香り制御手段、
被写体となる人物が表示された画像の選択や、他の指示操作を行うための指示操作手段、
のいずれかの手段を制御することにより、
被写体となっている人物を、前記選択された顔画像の表情をするように導くことを特徴とする（３）に記載の人物撮影システム。
【００２１】
（５）前記制御手段は、被写体となっている人物が、一定間隔で変化する音、もしくは画像、あるいは一定リズムで変化する音、もしくは画像に合わせて、表情を変化させるように前記音響手段、もしくは前記画像表示手段を制御することを特徴とする（４）に記載の人物撮影システム。
【００２２】
（６）前記制御手段は、被写体となっている人物に対して、顔のマッサージ、もしくは、目の運動をすることを促し、その後に、前記選択された顔画像の表情をするように、前記音響手段、もしくは前記画像表示手段を制御することを特徴とする（５）に記載の人物撮影システム。
【００２３】
（７）前記撮影手段は、設定されたタイミングと、設定された周期とで顔画像を取り込み、
前記制御手段は、取り込まれた複数枚の前記顔画像を撮影画像データとして記憶手段の指定領域にストアすることを特徴とする（４）から（６）のいずれか１項に記載の人物撮影システム。
【００２４】
（８）前記撮影手段を、複数の角度から人物を撮影するように構成して、
前記制御手段は、設定されたタイミングで、前記撮影手段により複数の角度から撮影した顔画像を取り込み、
取り込んだ複数枚の前記顔画像を撮影画像データとして記憶手段の指定領域にストアすることを特徴とする（４）から（６）のいずれか１項に記載の人物撮影システム。
【００２５】
（９）前記記憶手段の指定領域にストアされた前記撮影画像データを前記画像表示手段に表示して、
表示された複数枚の顔画像の中から、気に入った顔画像を、前記指示操作手段にて選択できるように構成したことを特徴とする（７）、もしくは（８）に記載の人物撮影システム。
【００２６】
（１０）画像情報をプリントとして出力する出力手段、記憶媒体に出力する出力手段、通信路に出力する出力手段を設け、
前記制御手段が、前記指示操作手段にて選択された顔画像を、前記指示操作手段による出力指示に従って、いずれかの前記出力手段に出力することを特徴とする（９）に記載の人物撮影システム。
【発明の効果】
【００２７】
請求項１に記載の発明により、被写体となる人物が、撮影前に、撮影目的に合った表情を画像で確認して、選択することができる。従って、文言では説明困難な表情に関わる情報を、システムに容易に入力することができる。
【００２８】
請求項２に記載の発明により、被写体となる人物は、ふつうの真顔の表情の顔画像、もしくは無表情の顔画像と、希望する表情をした顔画像とを対比して見ることにより表情の特徴を明確に認識することができる。
【００２９】
請求項３に記載の発明により、被写体となる人物は、撮影者が存在しなくても、撮影目的に合った表情の選択をはじめ、システムに対する操作指示を、誤り無く容易に行うことができる。
【００３０】
請求項４に記載の発明により、被写体の人物は、予め準備された選択された表情に対応するプログラムが実行されることによって、自動的に選択した希望の表情をするように導かれる。
【００３１】
請求項５に記載の発明により、被写体となる人物は、表情を変化させる速度の基準が作られることにより安定感のある表情変化ができる。また、表情変化と、撮影手段による撮影タイミングとの関連を作ることができる。
【００３２】
請求項６に記載の発明により、被写体となっている人物は、希望する表情を容易に作り出せるようになる。
【００３３】
請求項７に記載の発明により、時間的にわずかに異なるタイミングで、即ち、複数のシャッターチャンスで希望する表情をした顔画像を記憶手段に取り込むことができる。この結果、わずかな表情の変化がある複数の顔画像を記録することができる。
【００３４】
請求項８に記載の発明により、希望する表情をした顔を、いろいろな角度から、ほぼ同時に撮影することができ、これらの顔画像を記憶手段に取り込むことができる。この結果、被写体となった人物の利き顔の顔画像を記録することができる。また、記録された情報から立体画像を合成することができる。
【００３５】
請求項９に記載の発明により、良い表情をした複数枚の顔画像が並べられることにより、被写体となった人物は微妙な表情の違いを認識できるのでが、最も気に入った顔画像を容易に選択することができる。
【００３６】
請求項１０に記載の発明により、前記最も気に入った顔画像をプリントとして出力したり、あるいは記憶媒体に記録することにより、前記顔画像の保存や、メイルによる画像送付等のような活用を図ることができる。
【発明を実施するための最良の形態】
【００３７】
以下、本発明の実施の形態を図を基に説明する。
【００３８】
図１は、本発明の応用例であるボックス型の人物撮影システムＡを示す外観図である。
【００３９】
図２は、前記人物撮影システムＡの構成を模式的に示す図である。
【００４０】
図３は、前記人物撮影システムＡの正面パネルの模式図である。
【００４１】
人物撮影システムＡは、ボックス１と、その内部に備えられた、撮影手段２、照明手段３、音響手段４、画像表示手段５、温度制御手段６（不図示）、送風制御手段７、香り制御手段８（不図示）、指示操作手段９、料金支払い手段１０、通信手段２０、椅子９０、制御手段１００等とから構成されている。
【００４２】
ボックス１は、被写体である人物Ｐを外界から遮断して、撮影時におけるプライバシーを保護すると共に、外光の影響を抑えて、撮影に際しての照明条件を内部の照明手段３により制御できるようにするという役割もある。また、人物撮影システムＡが屋外に設置される場合には、屋外ハウスとして風雨に対応する役割も持つ。
【００４３】
撮影手段２は、１台のデジタル式カメラ、もしくは前記カメラの左右に他のデジタル式カメラを配した複数台のカメラから構成され、制御手段１００から送られる撮影スタート信号により人物Ｐの顔をハーフミラー２１を介して撮影する。撮影により得た顔画像情報は、制御手段１００に送られ、メモリＭの所定のファイルにストアされる。
【００４４】
照明手段３は、複数の照明ランプとストロボからなり、制御手段１００の指示信号により、照明の強さや点灯のタイミング動作が個別に制御される。
【００４５】
画像表示手段５は、ＣＲＴ、液晶、もしくはプラズマによる表示装置であり、制御手段１００から送られた画像や文字を表示する。本実施の形態ににおいては、画像表示手段５にて表示された画像は、ハーフミラー２１と、タッチパネル９１を介してボックス１内の人物Ｐの目に映り、人物にはタッチパネル９１が画像表示手段５の画像表示面のように見える。
【００４６】
温度制御手段６（不図示）、および香り制御手段８（不図示）は、送風制御手段７と共に作動し、人物Ｐの顔に所定の温度と、香りを持つ風を送るように制御手段１００により制御される。
【００４７】
本実施の形態における指示操作手段９はタッチパネル９１と、その下方に配置された押しボタンから構成される。人物Ｐは、画像表示手段５により表示された画像、および文字を見ながらタッチパネル９１の表面に触れることにより、指示や選択の操作ができる。
【００４８】
料金支払い手段１０は、人物Ｐが投入したコイン、もしくは挿入した紙幣の金額を確認した後、料金受領確認の信号を制御手段１００に送るもので、自動販売機で多用されている公知のものである。
【００４９】
通信手段２０は、人物撮影システムＡの管理と、画像転送のために用いられるものである。管理の方法としては、制御手段１００から送られた稼働状況をはじめ各種データを管理センタに送信すると共に、管理センタから送られたバージョンアップのためのソフトを受け取り、制御手段１００に転送する方法がとられている。また、画像転送機能は、撮影された画像を、通信路であるネットワークを介して転送するために使用される。
【００５０】
プリント手段３０は、選択されてメモリＭにストアされた顔画像をハードコピーとして出力する手段であり、銀塩方式、熱溶融転写方式、インクジェット方式等適宜な方式による画像出力手段が採用される。
【００５１】
記憶媒体出力手段４０は、フロッピー（Ｒ）ディスク、ＣＤ、ＭＯ等の媒体に、画像情報を出力するものであり、採用する媒体により選択される。あるいは、複数種類の出力手段を設けて、複数種類の媒体に対応できるようにしても良い。
【００５２】
図４は、本発明の人物撮影システムの制御関係を示すブロック図である。制御手段１００はＣＰＵ、メモリ、画像処理のための演算ユニット等を有するコンピュータシステムであり、他の制御手段とは、入出力Ｉ／Ｏポート、シリアルあるいはパラレルのインターフェイスを介して情報の交換を行っている。
【００５３】
図５、６、７は、この人物撮影システムＡにより、被撮影者である人物Ｐが顔写真を撮影する時の操作と、それに対応して行われる処理を示すフローチャートである。
【００５４】
人物Ｐは、先ず最初に料金支払い手段１０に料金を投入する（Ｓ１）。次に、音響手段４による音声と、画像表示手段５による表示とに導かれて（Ｓ２）、撮影目的を指示操作手段９により選択する（Ｓ３）。撮影目的としては、例えば、証明写真、真顔写真、微笑み写真、お楽しみ写真等である。
【００５５】
撮影目的が選択されると、選択された目的の確認を人物Ｐに促すための表示が画像表示手段５に出力され、（Ｓ６、Ｓ７、Ｓ８）、「ＹＥＳ」の確認がなされると対応するプログラムが選択される（Ｓ１０）。もし、「ＮＯ」であれば、再度、撮影目的の選択のための画像が表示手段５に表示される。
【００５６】
ＹＥＳの選択により選択されたプログラムが実行されることにより、画像表示手段５には、選択された撮影目的と、撮影目的に対応した予め準備された複数の表情をしたサンプル顔画像が表示される（Ｓ１１）。
【００５７】
図８は、微笑み写真が選択された時の表示例であり、笑顔の程度が少しずつ異なっている。この場合、ａ画像として表示された顔は真顔であり、ｂ、ｃ、ｄと少しずつ微笑みの程度が増加して、ｅ画像の顔が最も微笑みが強い。
【００５８】
本例で明らかなように、微笑みという文言だけの表現による情報では、被写体となる人物Ｐの希望を的確に把握することは困難であり、また、撮影される人物Ｐが希望する微笑みを文言だけで的確に表現し、撮影側に伝えることも困難である。本発明は、予め撮影目的に対応する複数の顔画像例を表示して、表示された画像を介することによって、文言だけでは困難な意思伝達をより的確に行うことができるようにするものである。
【００５９】
また、本発明においては、表示する複数の顔画像例の中に、真顔、あるいは無表情の顔画像を入れることにより、表情の異なる他の顔画像がこの顔画像と容易に対比されて見られるように構成して、表情の選択がより的確になされるようにしている。
【００６０】
人物Ｐは表示された複数の顔画像例の中から、希望する表情の顔画像を指示操作手段９のタッチパネル９１により選択する（Ｓ１１、Ｓ１２、Ｓ１３、Ｓ１４）。
【００６１】
選択がなされると、該顔画像を画像表示手段５に大きく表示して（Ｓ１５、Ｓ１６、Ｓ１７）（表示例、図９）、選択結果が意図したものであるか否かの確認を行う（Ｓ１８）。なお、図９においては選択された顔画像のみが表示されているが、真顔画像も表示して、二つの顔画像を並べて表示してもよい。
【００６２】
確認結果が「ＮＯ」であれば、再度、表情画像を選択するためのルーチンに戻り、「ＹＥＳ」であれば、制御手段１００は、選択された表情に対応したプログラムを選択する（Ｓ１９）。選択されたプログラムに従って、制御手段１００は、音響手段４、画像表示手段５、照明手段３、温度制御手段６、送風制御手段７、香り制御手段８の制御を実行する（Ｓ２０）。
【００６３】
例えば、微笑み写真が選択され、図８のように表示された顔画像例から、図９のような笑顔であるｃ画像が選択された場合には、制御手段は対応するプログラムを選択して、それを実行することにより、被写体となる人物に、心地よいリズムの音楽と共に、以下に記すような行動を取らせるような音声と画像を音響手段４と、画像表示手段５とに出力する。
「先ず、人差し指と中指と薬指の三本の指を揃え、目の周りを右目は時計回りに、左目は反時計回りに４から５回優しく回してマッサージをする。」
「次に、両方の手のひらで、頬を斜め後ろに２から３回こすり上げる。」
「最後に、中指と薬指で、眉の外側両端を外側斜め後ろに引き上げ、２から３秒静止させる。」
以上の行動は、滞りがちな目の周辺の血流を良くすることによって、生き生きした表情を作り出すことに有効なものである。
【００６４】
さらに、表情の最重要要素である目を活性化させるための以下の行動を促す。
「先ず、思い切り目をつむり、２から３秒静止させた後、パッと大きく目を開ける。」
「次に、目を大きく回す。これを逆回しも含め、２から３回行う。」
「最後に、思い切り目を上に上げ、充分に目を開け２から３秒静止させる。」
上述のような撮影前の第１の予備的な動作を実行させた後に、被写体となる人物を表示手段５に表示された画像の所定位置を見るように誘導して、目線を定める。さらに、目線を固定したまま、設定された周期で音を出し、その音に同期させて唇を横方向に少しずつ引き上げ、引き上げ限度で停止させ、元に戻すという第２の予備動作を実行する。
【００６５】
以上の様な撮影前の予備動作を被写体である人物Ｐにさせた後に、心を軽くするために設定された音楽を流す。次いで、音楽をバックグラウンドとしながら、「では、笑って、撮影開始音が出たら、表示画像の点を見ながら、続いて出される同期音に合わせて唇を少しずつ引き上げて下さい」というメッセージと共に撮影を開始する。なお、照明手段３は、予め設定されているいくつかの条件の中から、この場合に適合する条件が選択され、明るさと配光が実現されるように制御される。また、送風制御手段７と、香り制御手段８は、この場合には特に作動させなくても良い。
【００６６】
少しずつ変化をしている被写体である人物Ｐの顔は、設定されたタイミング、例えば前記同期音に合わせて、デジタルカメラを有する撮影手段２により、複数回撮影され、複数の顔画像が制御手段１００のメモリＭの所定のエリアにストアされる（Ｓ２２）。
【００６７】
なお、撮影のタイミングの設定は、前記同期音に順番号をつけ、特定の番号の同期音に同期して撮影することもできるし、また、同期音の間にも数回の撮影をするような設定もできる。これらの設定は、制御手段１００にストアされているプログラム内のテーブルに予め所定の数値を設定することによりなされ、設定の変更は、画像表示手段５、指示操作手段９により行うことができる。
【００６８】
撮影は、複数台のデジタルカメラを有する撮影手段により、複数の角度から同時に複数の撮影をして、これらの複数の顔画像を制御手段１００のメモリＭの所定のエリアに順次ストアするように構成しても良い。
【００６９】
取り込まれた複数の顔画像は、所定の形式で画像表示手段５に表示され、被撮影者に
対して、音響手段４からの音声により表示された複数の顔画像の中から気に入った顔画像を選択するように促す（Ｓ２３）（表示画像例、図１０）。
【００７０】
被撮影者が気に入った顔画像を選択すると（Ｓ２４）、対応する顔画像がプリントとして出力され（Ｓ２５）、記憶媒体へは、画像情報が記録される（２６）。また、指示操作手段９を操作することにより、選択された前記顔画像を通信手段２０を介して、公衆回線、ＬＡＮ等の通信路に送り出すこともできる。
【００７１】
以上に説明をしてきたように、本発明による人物撮影システムにより、被写体となる人物は、撮影目的に適合し、且つ、自分が気に入った表情をしている顔画像プリント、もしくは、顔画像データが記録された記憶媒体を得ることができる。
【００７２】
なお、本実施の形態については、希望する顔画像が微笑み写真が選択された場合を、例として説明をしたが、他の証明写真、真顔写真、お楽しみ写真等が選択された場合には、微笑み写真が選択された場合とは異なる表情をした顔画像例が画像表示手段５に表示され、それらの顔画像例の中から、被写体となる人物Ｐは、希望する表情を選択する。そして、微笑み写真を選択した場合と同様な手順で、制御手段１００は、人物Ｐが選択した顔画像の表情をするように予め作られたプログラムを選択して、実行することにより、表情を変化させるための音響手段４、画像表示手段５、照明手段３、温度制御手段６、送風制御手段７、香り制御手段８は所定の動作を実行する。
【００７３】
微笑み写真を選択した場合に動作をしなかった温度制御手段６、送風制御手段６、香り制御手段８は、真顔写真が選択された場合に、ミントの香りを含む冷風を被写体となる人物Ｐの額に送り、表情を引き締める場合等の手段として動作が制御される。
【図面の簡単な説明】
【００７４】
【図１】人物撮影システムの外観図である。
【図２】人物撮影システムの構成を示す模式図である。
【図３】人物撮影システムの正面パネルを示す模式図である。
【図４】人物撮影システムの制御関係を示すブロック図である。
【図５】指示操作とシステムの動作の手順を示すフローチャートである。
【図６】指示操作とシステムの動作の手順を示すフローチャートである。
【図７】指示操作とシステムの動作の手順を示すフローチャートである。
【図８】表情選択のための顔画像表示例である。
【図９】選択された顔画像の表示例である。
【図１０】撮影された複数の顔画像の表示例である。
【符号の説明】
【００７５】
１  ボックス
２  撮影手段
３  照明手段
４  音響手段
５  画像表示手段
６  温度制御手段
７  送風制御手段
８  香り制御手段
９  操作手段
１０  料金支払い手段
２０  通信手段
３０  プリント手段
４０  記憶媒体出力手段
９１  タッチパネル
１００  制御手段
Ａ  人物撮影システム
Ｐ  人物
【図１】
2005156942.tif 000003
【図２】
2005156942.tif 000004
【図３】
2005156942.tif 000005
【図４】
2005156942.tif 000006
【図５】
2005156942.tif 000007
【図６】
2005156942.tif 000008
【図７】
2005156942.tif 000009
【図８】
2005156942.tif 000010
【図９】
2005156942.tif 000011
【図１０】
2005156942.tif 000012